(57)【要約】【課題】  大きく重量を増加させることなくシャフトの振動を効果的に抑制することができ、更に振動吸収性の調整が可能なゴルフクラブ用グリップ、及びこれを用いたゴルフクラブを提供する。【解決手段】  グリップ筒状部７及びこのグリップ筒状部７の一端部に配置されグリップ内部と外部とを連通する貫通孔８が設けられたグリップエンド部９を有するグリップ本体５と、粘弾性体からなるとともにグリップ本体５とは別体とされた振動吸収部材６とを備えたゴルフクラブ用グリップ３である。振動吸収部材６はグリップ本体５に対して着脱可能に装着されている。振動吸収部材６は面状部１１及びこの面状部１１と一体成形された棒状部１２を有する。棒状部１２はグリップエンド部９の貫通孔８に貫通し且つグリップ筒状部７の内部に突出している。【選択図】      図２
2006325711.tif 000002
【特許請求の範囲】
【請求項１】
筒状のシャフトの一端部が挿入される筒状のグリップ筒状部及びこのグリップ筒状部の一端部に配置されグリップ内部と外部とを連通する貫通孔が設けられたグリップエンド部を有するグリップ本体と、粘弾性体からなるとともに前記グリップ本体とは別体とされ前記グリップ本体に着脱可能に装着された振動吸収部材と、を備え、
この振動吸収部材は基体部及びこの基体部と一体成形された突起部を有するとともに、この突起部は前記グリップエンド部の前記貫通孔に貫通し且つ前記グリップ筒状部の内部に突出していることを特徴とするゴルフクラブ用グリップ。
【請求項２】
前記振動吸収部材は、前記グリップ本体に嵌着されることにより着脱可能に装着されていることを特徴とする請求項１に記載のゴルフクラブ用グリップ。
【請求項３】
前記突起部は、０〜１０℃の条件下で周波数１０Ｈｚで測定された複素弾性率が２．０×１０７ｄｙｎ／ｃｍ２以上１．０×１０１０ｄｙｎ／ｃｍ２以下であり、質量が０．７ｇ以上６ｇ以下であり、長さが８ｍｍ以上４０ｍｍ以下の棒状であることを特徴とする請求項１又は２に記載のゴルフクラブ用グリップ。
【請求項４】
前記振動吸収部材は、比重７以上の高比重金属の粉末を配合した粘弾性体からなることを特徴とする請求項１〜３に記載のゴルフクラブ用グリップ。
【請求項５】
筒状のグリップ筒状部及びこのグリップ筒状部の一端部に配置されグリップ内部と外部とを連通する貫通孔が設けられたグリップエンド部を有するグリップ本体と、粘弾性体からなるとともに前記グリップ本体とは別体とされ前記グリップ本体に着脱可能に装着された振動吸収部材と、その一端部が前記グリップ筒状部内に挿入された筒状のシャフトと、前記シャフトの他端部に取り付けられたゴルフクラブヘッドと、を備え、
前記振動吸収部材は、基体部及びこの基体部と一体成形された突起部を有するとともに、この突起部は、前記グリップエンド部の前記貫通孔に貫通し且つ前記シャフトの内周面と接触することなくシャフト内部に突出していることを特徴とするゴルフクラブ。
【発明の詳細な説明】
【技術分野】
【０００１】
本発明は、ゴルフクラブ用グリップ及びこれを用いたゴルフクラブに関するものである。
【背景技術】
【０００２】
近年、スイング時のヘッドスピードを高めるべく、シャフトやヘッドを軽くすることによりクラブ重量の軽量化が図られている。特に、シャフトについては、カーボン繊維強化樹脂等を用いることで軽量化が図られている。
その一方、クラブが軽量化されるにつれて、打球の際、プレーヤーにとって不快な振動や衝撃が生じやすい傾向となる。特に、シャフトが軽くなると、打球時におけるシャフト振動の周波数が高くなり、この周波数が従来のシャフトの周波数と異なるため、プレーヤーにとって不快な振動や衝撃が増加する傾向となる。
【０００３】
打球時に発生する振動を抑制するため、従来から種々の提案がなされている。
例えば、グリップが取り付けられるシャフト端部の内周側に粘弾性を介して支持された金属製の錘体を配置しこの錘体によってシャフトの振動を抑制するものや（特許文献１参照）、棒状に形成された損失正接（ｔａｎδ）が０．７以上の粘弾性体をシャフト端部の内周面に接触させた状態で挿入するもの（特許文献２参照）が提案されている。
【特許文献１】特開平６−３３９５５１号公報
【特許文献２】特開２００３−７０９４４号公報
【発明の開示】
【発明が解決しようとする課題】
【０００４】
しかしながら、上記特許文献１に係るゴルフクラブにおいては、錘体等の重量が重く、ゴルフクラブ全体としての重量を増加させてしまい、軽量化の観点から見ると好ましくない。また、上記特許文献２に係るゴルフクラブでは、シャフト内周面の挿入される前記棒状の粘弾性体とシャフト内周面との接触部の位置や面積によっては、特定の振動（特定方向の振動や特定の周波数を有する振動）に対して、振動の抑制効果を十分に発揮できない場合があり、安定した振動抑制効果が得られない場合があった。
【０００５】
また、クラブに求められる振動吸収性は使用者（ゴルファー）の個性（ヘッドスピード、スイングタイプ等）やクラブの仕様等により異なるため、各ゴルファーや各クラブに適合した振動吸収性が得られるのが望ましい。
【０００６】
本発明は、このような事情に鑑みてなされたものであり、大きく重量を増加させることなくシャフトの振動を効果的に抑制することにより打球時のフィーリングを良好にすることができ、更に振動吸収性の調整が可能なゴルフクラブ用グリップ、及びこれを用いたゴルフクラブを提供することを目的とする。
【課題を解決するための手段】
【０００７】
本発明のゴルフクラブ用グリップは、筒状のシャフトの一端部が挿入される筒状のグリップ筒状部及びこのグリップ筒状部の一端部に配置されグリップ内部と外部とを連通する貫通孔が設けられたグリップエンド部を有するグリップ本体と、粘弾性体からなるとともに前記グリップ本体とは別体とされ前記グリップ本体に着脱可能に装着された振動吸収部材と、を備え、この振動吸収部材は基体部及びこの基体部と一体成形された突起部を有するとともに、この突起部は前記グリップエンド部の前記貫通孔に貫通し且つ前記グリップ筒状部の内部に突出していることを特徴とする。
【０００８】
このようにすると、粘弾性体からなる振動吸収部材の突起部がグリップ内部に突出しているので、打球時における振動吸収性を高めることができる。また、振動吸収部材はグリップ本体に対して着脱可能であるから、振動吸収部材を取り替えることにより振動吸収性の調整や重量調整を行うことができる。
【０００９】
前記振動吸収部材は、前記グリップ本体に嵌着されることにより着脱可能に装着されているのが好ましい。
この場合、極めて簡易な構成により、振動吸収部材をグリップ本体に対して着脱可能とすることができる。
【００１０】
前記突起部は、０〜１０℃の条件下で周波数１０Ｈｚで測定された複素弾性率が２．０×１０７ｄｙｎ／ｃｍ２以上１．０×１０１０ｄｙｎ／ｃｍ２以下であり、質量が０．７ｇ以上６ｇ以下であり、長さが８ｍｍ以上４０ｍｍ以下の棒状であるのが好ましい。
【００１１】
上記複素弾性率を上記範囲としたのは以下の理由による。突起部の複素弾性率が２．０×１０７ｄｙｎ／ｃｍ２より小さいと、前記突起部が柔らかくなりすぎて、スイング中にゴルフクラブが不安定となったり、前記突起部が振れすぎて音鳴りの原因となる恐れがあり、更には前記突起部の振幅がシャフトの振動数と合わない恐れがある。また、突起部の複素弾性率が１．０×１０１０ｄｙｎ／ｃｍ２より大きいと前記突起部が硬くなりすぎてその振幅が小さくなり、シャフトの振動数と合わなくなる場合がある。よって、前記突起部に上記範囲の複素弾性率を有する粘弾性材を用いることでシャフトの振動をより効果的に抑制できる。
【００１２】
また、前記突起部の質量を上記範囲に設定したのは、前記突起部の重量が６ｇを超えるとゴルフクラブ全体としての重量が重くなり、ゴルフクラブの操作性が損なわれやすくなるからであり、０．７ｇより軽いと突起部が十分に共振せず振動吸収性が十分に発揮されない恐れがあるからである。
【００１３】
さらに、突起部の長さを上記範囲としたのは、前記突起部の長さが８ｍｍより短いと前記突起部が十分に共振せず振動吸収性が十分に発揮されない恐れがあるからであり、長さが４０ｍｍを超えると突起部の振り幅が大きくなりすぎてシャフトの振動数と合わなくなる恐れがあり、また突起部とシャフト内周面とが接触しやすくなって音鳴りの可能性が高まるからである。
【００１４】
前記振動吸収部材は、比重７以上の高比重金属の粉末を配合した粘弾性体からなるのが好ましい。
このようにすると振動吸収部材を小型化することができるので、振動吸収部材がグリップ本体から外側に大きく突出するのを抑制でき、またグリップ本体やシャフトの設計自由度が高まる。更に、突起部の断面積を小さくしても振動吸収性を十分確保しやすくなるので、シャフト内周面への突起部の接触が抑制できて安定した振動吸収性を確保しやすくなる。さらに、グリップ本体（特にグリップ筒状部）やシャフトの厚さ（肉厚）の設計自由度が高まる。
【００１５】
本発明のゴルフクラブは、筒状のグリップ筒状部及びこのグリップ筒状部の一端部に配置されグリップ内部と外部とを連通する貫通孔が設けられたグリップエンド部を有するグリップ本体と、粘弾性体からなるとともに前記グリップ本体とは別体とされ前記グリップ本体に着脱可能に装着された振動吸収部材と、その一端部が前記グリップ筒状部内に挿入された筒状のシャフトと、前記シャフトの他端部に取り付けられたゴルフクラブヘッドと、を備え、前記振動吸収部材は、基体部及びこの基体部と一体成形された突起部を有するとともに、この突起部は、前記グリップエンド部の前記貫通孔に貫通し且つ前記シャフトの内周面と接触することなくシャフト内部に突出していることを特徴とする。
【００１６】
このようにすると、粘弾性体からなる振動吸収部材の突起部が、シャフトの内周面と接することなくシャフト内部に突出しているので、打球時における振動吸収性を高めることができる。また、振動吸収部材はグリップ本体に対して着脱可能であるから、振動吸収部材を取り替えることにより振動吸収性の調整や重量調整を行うことができる。
【発明の効果】
【００１７】
本発明によれば、粘弾性体からなるとともにグリップ内部に突出する突起部を有する振動吸収部材を設けたので、大きく重量を増加させることなくシャフトの振動を効果的に抑制することができる。また振動吸収部材を着脱可能としたので、振動吸収性の調整や重量調整が可能となる。
【発明を実施するための最良の形態】
【００１８】
以下に、本発明の実施形態について図面を参照しつつ説明する。
図１は、本発明の一実施形態であるゴルフクラブ１の概略図である。このゴルフクラブ１は、棒状のシャフト２と、このシャフト２の一端部に装着されたゴルフクラブ用グリップ（以下、単にグリップともいう）３と、このシャフト２の他端部に装着されたヘッド４とを備えている。シャフト２は内部が中空とされた円筒状部材である。以下の記載においては、説明を容易とするため、このシャフト２の径方向を単に「径方向」ともいい、シャフト２の周方向を単に「周方向」ともいい、シャフト２の軸方向を単に「軸方向」ともいうこととする。
【００１９】
図２（ａ）は、ゴルフクラブ１のグリップエンド付近（図１の破線円内）の断面図であり、図２（ｂ）は、グリップ３をグリップエンド側からみた図である。シャフト２は、筒状の中空部材であり、その一端部は開口している。グリップ３は、グリップ本体５と、このグリップ本体５とは別体の振動吸収部材６とを有している。
グリップ本体５は、筒状のシャフト２の一端部が挿入される筒状のグリップ筒状部７と、このグリップ筒状部７の一端部に配置されグリップ内部と外部とを連通する貫通孔８が設けられたグリップエンド部９とを有する。
なお、シャフト２はカーボン（ＣＦＲＰ；炭素繊維強化プラスチック）よりなるカーボンシャフトであり、グリップ本体５はゴムよりなるが、本発明ではシャフト２やグリップ本体５の素材は特に限定されない。
またグリップ本体５は、筒状に成形されたものでもよく、あるいは帯状ものをシャフト２に螺旋状に略隙間無く巻き付けられた結果全体として筒状をなすもの（従来の革巻きグリップと同様の構造のもの）でもよい。
【００２０】
グリップエンド部９は、筒状のグリップ筒状部７の一端部を塞ぐように径方向に延在した円板状部分である。ただしグリップエンド部９の配置位置は、グリップ３の一端（後端）縁ではなく、グリップ３の一端（後端）縁よりも若干ヘッド４寄りの位置とされている。その結果、グリップ本体５は、その一端部外周縁において、周方向の全周に亘って高さ（軸方向高さ）ｄを有する円環状の段差部１０を有している。また貫通孔８は、グリップエンド部９の中央に設けられており、当該グリップエンド部９を軸方向に貫通している。
なお、グリップエンド部９の厚みは、２ｍｍより薄いとその強度が不足し、外的な衝撃等に耐えられなくなる恐れがある。このため、２ｍｍ以上、特に３ｍｍ以上が良い。また、グリップエンド部９の厚みが８ｍｍを超えると、重量が重くなりゴルフクラブ１の操作性が悪くなる場合がある。従って、８ｍｍ以下、特に７ｍｍ以下が良い。
【００２１】
グリップ筒状部７やグリップエンド部９はゴムを加硫成形することにより製造されている。具体的には、未加硫状態（又は半加硫状態）で円板状に成形されたグリップエンド部９をグリップ３成形金型にセットし、マンドレル（芯金）を覆うように配置されたシート状の未加硫ゴム（グリップ筒状部７を形成する部分）とともに加硫成形することで、グリップ筒状部７とグリップエンド部９とが一体成形されたグリップ３を得ることができる。このように、生産性や耐久性の観点からは、グリップエンド部９とグリップ筒状部７とを一体成形するのが好ましい。またインジェクション成形可能な素材（熱可塑性エラストマー等）を用い、グリップ筒状部７とグリップエンド部９とを含むグリップ本体５全体をインジェクション成形してもよい。
【００２２】
グリップ筒状部７は、その内周面の周方向所定位置にバックライン（図示省略）が設けられているものの略円筒状をなしており、その内部にシャフト２が挿入されている。グリップ筒状部７の内周面とシャフト２の外周面とは、互いに両面テープ（図示省略）にて接着されている。なお、シャフト２を挿入する前のグリップ筒状部７の内径は、当該グリップ筒状部７の軸方向各位置におけるシャフト２の外径よりも若干細くされており、グリップ筒状部７は若干拡径するように伸ばされた状態でシャフト２の外側に装着されている。
【００２３】
振動吸収部材６は、基体部としての面状部１１と、突起部としての棒状部１２とを有している。面状部１１は円板状をなし且つ径方向に延在している。棒状部１２は断面円形の棒状（すなわち円柱）をなしており、面状部１１の中央部から軸方向に延びている。棒状部１２は、グリップエンド部９の貫通孔８を軸方向に貫通しており、その一部はシャフト２の内部に突出した内部突出部分１２ａを有している。また、ゴルフクラブ１を静置した状態において、内部突出部分１２ａはシャフト２の内周面２ａとは接触しておらず、この内部突出部分１２ａとシャフト内周面２ａとの間には径方向距離Ｔの隙間がある。内部突出部分１２ａとシャフト２とは互いに略同軸で配置されており、その結果内部突出部分１２ａの全周囲には周方向に略均等に幅Ｔの隙間が設けられている。したがって内部突出部分１２ａは、全周方向に対して、シャフト２の内周面２ａに触れることなく振動しやすくなっている。面状部１１の内側面（棒状部１２が設けられた面）１１ａは、グリップエンド部９の外面９ａと当接している。
【００２４】
振動吸収部材６は粘弾性体からなり、且つ、面状部１１と棒状部１２とは一体成形されている。そして振動吸収部材６は、グリップ本体５に対して着脱可能に取り付けられている。具体的には、振動吸収部材６は、グリップ本体５に対して嵌着されている。この嵌着は、振動吸収部材６とグリップ本体５との間の寸法差を利用して行われており、具体的には次の（１）又は（２）のいずれか（又は両方）の手法が採られている。
（嵌着手法１）棒状部１２の直径（棒状部１２が単体である場合の直径）ｐを、貫通孔８の直径（貫通孔８に棒状部１２が挿入されていない場合の直径）ｓよりも大きくしておく。
（嵌着手法２）面状部１１の直径（段差部１０の内部に収容されていない状態における直径）１１ｄを、段差部１０の内周面の直径ｄ（面状部１１を取り付けていない状態における直径）１０ｄよりも大きくしておく。
なお図２（ａ）は、振動吸収部材６をグリップ本体５に装着した状態における図であるため、段差部１０の内周面の直径１０ｄと面状部１１の直径１１ｄとが同一径として図示されているが、実際の直径１０ｄ及び直径１１ｄの各意味は、上記括弧書きの通り、振動吸収部材６をグリップ本体５に装着していない状態における直径のことである。
【００２５】
グリップ本体５はゴムやエラストマー等の柔軟性のある材料からなり、振動吸収部材６も粘弾性体からなり柔軟性があるので、上記のように寸法差を利用することにより、振動吸収部材６をグリップ本体５に対して着脱可能に固定する構成を簡易に実現することができる。そして、振動吸収部材６はグリップ本体５に対して着脱可能であるから、振動吸収部材６を取り替えることにより振動吸収性の調整や重量調整を行うことができる。また、振動吸収部材６とグリップ本体５とは別体であるから、振動吸収部材６とグリップ本体５とを互いに異なる色で着色することによりデザイン性を向上させることができる。
【００２６】
なお、グリップ本体５に対して振動吸収部材６を着脱可能に取り付ける手法としては上記に限定されないが、上述した嵌着手法１，２のようにグリップ本体５及び振動吸収部材６が互いに嵌着しうる嵌着機能部を有していると、簡易な構造で振動吸収部材６を着脱可能とできるので好ましい。また、振動吸収部材６を着脱可能とする他の構成としては、グリップ本体５や振動吸収部材６以外の別部材により振動吸収部材６を外側から押さえ付けて固定したり、面ファスナーを用いたり、磁石を用いたり、振動吸収部材６をグリップ本体５に対してねじ込み可能としたりする構成も適宜採用できる。
【００２７】
振動吸収部材６における面状部１１の厚み（軸方向厚み）ｈは、段差部１０の高さ（軸方向高さ）ｄと同一とされている。そのため、段差部１０の軸方向端面１０ａと面状部１１の外側面１１ｂとは互いに面一とされている。
【００２８】
振動吸収部材６を構成する粘弾性材としては、例えばＳＢＲ、ＰＥＢＡＸ（ＡＴＯＣＨＥＭ社製）、ＨＹＢＲＡＲ（登録商標；クラレ社製）等の熱可塑性エラストマー、ＨＹＢＲＡＲ＋ＰＰ（前記ＨＹＢＲＡＲにポリプロピレンをブレンドしたもの）等の粘弾性材を好適に用いることができる。ＳＢＲとしては、例えばＳＢＲの基材ゴム１００重量部に対して硫黄１．５重量部を配合したもの（複素弾性率  ５．０７×１０７ｄｙｎ／ｃｍ２）などが好適である。また、ＳＢＲにカーボンブラックを添加したもの（複素弾性率  ３．８６×１０８ｄｙｎ／ｃｍ２）、ＰＥＢＡＸ（ＡＴＯＣＨＥＭ社製ＰＥＢＡＸ５５３３）（複素弾性率  ２．７２×１０９ｄｙｎ／ｃｍ２）、１１−ＮＹＬＯＮ（複素弾性率  １．４５×１０１０ｄｙｎ／ｃｍ２）、シリコンゴム（複素弾性率  １．４１×１０７ｄｙｎ／ｃｍ２）、等を好適に用いることができる。このうち、ＰＥＢＡＸや１１−ＮＹＲＯＮについては、インジェクション成形で成形でき、他のものはプレス成形が可能である。
【００２９】
棒状部１２（突起部）を構成する粘弾性材は、０〜１０℃の条件下で周波数１０Ｈｚで測定された複素弾性率が２．０×１０７ｄｙｎ／ｃｍ２以上１．０×１０１０ｄｙｎ／ｃｍ２以下とされている。棒状部１２（突起部）の複素弾性率が２．０×１０７ｄｙｎ／ｃｍ２より小さいと、棒状部１２が柔らかくなりすぎて、スイング中にゴルフクラブ１が不安定となったり、棒状部１２が振れすぎて音鳴りの原因となる恐れがあり、更には棒状部１２の振幅がシャフト２の振動数とも合わない恐れがある。よって、上記複素弾性率は２．５×１０７ｄｙｎ／ｃｍ２以上が更に好ましく、３．０×１０７ｄｙｎ／ｃｍ２が更に好ましく、５．０×１０７ｄｙｎ／ｃｍ２以上が特に好ましい。
また上記複素弾性率が１．０×１０１０ｄｙｎ／ｃｍ２より大きいと棒状部１２が硬くなりすぎてその振幅が小さくなり、シャフトの振動数と合わなくなる場合がある。よって、上記複素弾性率は、８．０×１０９ｄｙｎ／ｃｍ２以下が更に好ましく、６．０×１０９ｄｙｎ／ｃｍ２以下が更に好ましく、３．０×１０９ｄｙｎ／ｃｍ２以下が特に好ましい。
【００３０】
棒状部１２（突起部）の質量は０．７ｇ以上６ｇ以下としている。棒状部１２の重量が６ｇを超えるとゴルフクラブ１全体としての重量が重くなり、ゴルフクラブ１の操作性が損なわれるからである。よって、棒状部１２（突起部）の質量は５．５ｇ以下が更に好ましく、５ｇ以下が特に好ましい。また棒状部１２の質量が０．７ｇより軽いと棒状部１２が十分に共振せず振動吸収性が十分に発揮されない恐れがある。よって棒状部１２の質量は１．０ｇ以上が更に好ましく、１．５ｇ以上が更に好ましく、２ｇ以上が特に好ましい。
【００３１】
棒状部１２（突起部）の長さ（長手方向長さ）は８ｍｍ以上４０ｍｍ以下としている。棒状部１２の長さが８ｍｍより短いと棒状部１２が十分に共振せず振動吸収性が十分に発揮されない恐れがあるからである。よって、棒状部１２の長さは１０ｍｍ以上がより好ましく、１５ｍｍ以上が更に好ましく、２０ｍｍ以上が特に好ましい。一方棒状部１２の長さが４０ｍｍを超えると棒状部１２の振り幅が大きくなりすぎてシャフトの振動数と合わなくなる恐れがあり、また突起部とシャフト内周面とが接触しやすくなって音鳴りの可能性が高まるので、この長さは３８ｍｍ以下がより好ましく、３６ｍｍ以下が更に好ましく、３４ｍｍ以下が特に好ましい。
【００３２】
振動吸収部材６は、比重７以上の高比重金属の粉末を配合した粘弾性体からなる。このようにしたのは、振動吸収部材６を小型化することができ、振動吸収部材６がグリップ本体から外側に大きく突出するのを抑制できると同時に、グリップ本体５やシャフト２の設計自由度が高まるからであり、更に、棒状部１２（突起部）の断面積を小さくしても振動吸収性を十分確保しやすくなるので、シャフト内周面への棒状部１２（突起部）の接触が抑制できて安定した振動吸収性が確保されるからであり、更に、グリップ本体５（特にグリップ筒状部７）やシャフト２の厚さ（肉厚）の設計自由度が高まるからである。よって上記高比重金属の比重は１０以上がより好ましく、１５以上が特に好ましい。なお、入手の容易性やコストを考慮すると、上記高比重金属の比重は２２以下が好ましく、２０以下が更に好ましい。
【００３３】
比重７以上の高比重金属の具体例としては、鉄（比重７．８６）、銅（比重８．９２）、鉛（比重１１．３）、ニッケル（比重８．８５）、亜鉛（比重７．１４）、金（比重１９．３）、白金（比重２１．４）、オスミウム（比重２２．６）、イリジウム（比重２２．４）、タンタル（比重１６．７）、銀（比重１０．４９）、クロム（比重７．１９）、真鍮（比重８．５）、タングステン（比重１９．３）等及びこれらの金属のうち少なくとも１種を含む合金を挙げることができる。ただし、鉛は生体に対して有害性があり、金や銀などは高価であることから、タングステン、銅、ニッケル、やこれらの合金が好ましい。また、高比重金属は、高分子材料（粘弾性材）との接着性をよくするためカップリング剤で処理（例えばシランカップリング剤によりコーティング）するのが好ましい。
【００３４】
棒状部１２の直径ｐは２ｍｍ以上４ｍｍ以下が好ましい。２ｍｍより小さいと棒状部１２の振り幅が大きくなりすぎてシャフトの振動数と合わなくなる恐れがあり、４ｍｍを超えると棒状部１２の十分に共振しない恐れがあるので、いずれにせよ振動吸収性が低下しやすくなる。
【００３５】
図３〜図６は、本発明の他の実施形態（第２〜第５実施形態）を示す断面図である。いずれの実施形態においても、面状部１１の内側面１１ａがグリップエンド部９の外面９ａと当接している点や、上記嵌着手法１及び／又は嵌着手法２により振動吸収部材６がグリップ本体５に着脱自在に取り付けられている点などは図２の第１実施形態と同一である。以下の第２〜第５実施形態の説明において、上記第１実施形態と同じ構成の部分は説明を省略し、第１実施形態と相違している点を中心に説明する。
【００３６】
図３に示す第２実施形態では、段差部１０の高さｄが振動吸収部材６の面状部１１の厚みｈよりも大きくされている。その結果、段差部１０の軸方向端面１０ａは面状部１１の外側面１１ｂと面一とはなっておらず、段差部１０は厚み差（ｄ−ｈ）だけ軸方向に突出している。
【００３７】
図４に示す第３実施形態では、上記第１実施形態や第２実施形態のように面状部１１の厚みは均一ではなく、面状部１１の厚みはその外周縁側から中央側にいくにつれて徐々に厚くなっており、面状部１１の外側面１１ｂは外側に向かって膨出する凸状曲面を構成している。その結果、面状部１１の外周縁における厚み（軸方向厚み）ｈ１は、面状部１１の中央部における厚みｈ２よりも薄くなっている。そして、段差部１０の高さｄは面状部１１の外周縁における厚みｈ１と同一とされている。よって振動吸収部材６は、面状部１１の外側面１１ｂの中央部において、厚み差（ｈ２−ｈ１）だけ軸方向に突出している。
【００３８】
図５に示す第４実施形態の振動吸収部材６も、上記第３実施形態と同様、面状部１１の厚みは均一ではなく、面状部１１の厚みはその外周縁側から中央側にいくにつれて徐々に厚くなっており、面状部１１の外側面１１ｂは外側に向かって膨出する凸状曲面を構成している。よって、面状部１１の外周縁における厚み（軸方向厚み）ｈ１は、面状部１１の中央部における厚みｈ２よりも薄くなっている。ただし、上記第３実施形態と異なり、面状部１１の外周縁における厚みｈ１は段差部１０の高さｄよりも大きくされている。そのため、振動吸収部材６における面状部１１の外周縁と段差部１０との間に高さ（軸方向高さ）が（ｈ１−ｄ）の段差がある。
【００３９】
図６に示す第５実施形態のグリップ３では、上述した第１〜第４実施形態と異なりグリップ本体５の端部外周に段差部１０が設けられていない。上記第１〜第４実施形態では、段差部１０が設けられた結果、当該段差部１０の内側部分は振動吸収部材６の面状部１１を収容する凹部となっていたが、本第５実施形態では段差部１０が無いので、振動吸収部材６の面状部１１を収容する凹部が形成されていない。そのため面状部１１の全体が外側に露出した状態となっている。
【００４０】
本発明の実施形態は上記第１〜第５実施形態に限定されないが、上述した嵌着手法１又は嵌着手法２を採用しうる点や、面状部１１の内側面１１ａとグリップエンド部９の外面９ａとが当接しており振動吸収部材６が安定的に装着されている点から上記第１〜第５実施形態が好ましい。また、振動吸収部材６が外部に突出するほど振動吸収部材６が外れやすくなり、また振動吸収部材６の耐久性が低下しやすくなるので、この観点から上記第１〜第５実施形態のなかでも第１〜第４実施形態がより好ましく、更には第１〜第３実施形態がより好ましく、特には第１及び第２実施形態が好ましい。
【００４１】
また、棒状部１２（突起部）とシャフト内周面２ａとの距離Ｔは、４ｍｍ以上であることが好ましい。この距離Ｔが４ｍｍ未満の場合、棒状部１２が共振した際にシャフト２の内周面２ａと接触して音鳴りや不快な振動の原因となりやすくなる。従って距離Ｔは４ｍｍ以上、特に５ｍｍ以上が良い。また距離Ｔは７ｍｍ以下であることが好ましい。７ｍｍを超えると、例えばシャフト２ａの内径が、その一般的な値である１５ｍｍ程度の場合、棒状部１２の外径が１ｍｍ前後となるため、十分な制振効果が得られない恐れがある。
【００４２】
上記実施形態では、棒状部１２（突起部）は円柱状としたが、角柱状あるいは断面楕円の柱状等や、異型断面を有する柱状としてもよい。ただし、周方向に均等に振動できるという理由で、棒状部１２（突起部）の断面形状は円形であることが好ましい。棒状部１２（突起部）の先端部分の外径が他の部分の外径より大きくされてなる錘状部分を設けても良い。この場合、棒状部１２（突起部）は錘状部分によってより振動し易くなり、振動抑制効果を増すことができる。
【００４３】
棒状部１２（突起部）の外径は、１．０ｍｍ以上が好ましく、１．５ｍｍ以上が更に好ましい。最も好ましい値としては、３．０ｍｍ以上である。この外径が小さすぎると十分な制振効果が得られない。ただし、大きすぎるとシャフト２の内周面に接触し易くなるので、７．０ｍｍ以下が好ましく、６．０ｍｍ以下が更に好ましい。最も好ましい値としては、５．０ｍｍ以下である。
【００４４】
〔実施例等〕
以下の仕様を備えた実施例１〜７及び比較例１を評価して本発明の効果を検証した。
各例の仕様は以下の通りとした。
【００４５】
実施例１〜７及び比較例１の全てで、ヘッド、シャフト、及びグリップ本体は共通とした。具体的には、ウッド型のゴルフクラブヘッド（所謂ドライバーヘッド）に４６インチのシャフトとグリップ本体とを装着してゴルフクラブを作製した。シャフトはＢＵＴＴ側（グリップ装着側）からＴＩＰ側（ヘッド装着側）にかけて先細りするテーパー形状とし、シャフト重量は６０ｇ（塗装前）とした。
【００４６】
シャフトはカーボンシャフトとし、ＣＲＦＰのプリプレグを巻回積層したシートワインディング製法により作製した。すなわち、所定の形状に成形された多数の繊維強化プリプレグを、芯金（図示せず）に順次巻き付けて積層した後、ポリエチレンテレフタレート樹脂製等のテープでラッピングしてオーブン中で加熱加圧して樹脂を硬化させて一体的に成形し、その後、芯金を引き抜くことで、中空筒状のシャフトとした。シャフトの積層構成を示すプリプレグシートの模式的な展開図を図７に示す。図中の繊維強化プリプレグ５１〜５７は、紙面左側がグリップ側（ＢＵＴＴ側）、同右側がヘッド側（ＴＩＰ側）である。繊維強化プリプレグ５１〜５７は、芯金（マンドレル；図示省略）に内周側から順次（繊維強化プリプレグ５１→５２→…５７の順）巻き付け、積層されている。これら繊維強化プリプレグ５１〜５７の強化繊維Ｆ５１〜Ｆ５７は、いずれも引張弾性率が３０ｔｏｎｆ／ｍｍ２以上、８０ｔｏｎｆ／ｍｍ２以下のカーボン繊維を用い、マトリクス樹脂としてエポキシ樹脂を用いている。
【００４７】
繊維強化プリプレグ５１、５２は、強化繊維Ｆ５１、Ｆ５２（引張弾性率４０ｔｏｎｆ／ｍｍ２）がシャフト軸線方向Ｓに対してなす配向角をそれぞれ−４５°、＋４５゜として、互いに貼り合わせて積層している。すなわち、図７ではＦ５１とＦ５２とは同一方向に配向しているが、プリプレグ５２を裏返してプリプレグ５１と貼り合わせることで、強化繊維Ｆ５１とＦ５２とは互いに逆向きに配向する。繊維強化プリプレグ５３は、強化繊維Ｆ５３（引張弾性率３０ｔｏｎｆ／ｍｍ２）がシャフト軸線方向Ｓに対してなす配向角を０°としている。繊維強化プリプレグ５４は、強化繊維Ｆ５４（引張弾性率８０ｔｏｎｆ／ｍｍ２）がシャフト軸線方向Ｓに対してなす配向角を０°とし、グリップ側（ＢＵＴＴ側）に配置されて、グリップ側端部（ＢＵＴＴ側）を補強している。繊維強化プリプレグ５５、５６は、強化繊維Ｆ５５、Ｆ５６（引張弾性率３０ｔｏｎｆ／ｍｍ２）がシャフト軸線方向Ｓに対してなす配向角を０°としている。繊維強化プリプレグ５７は、強化繊維Ｆ５７（引張弾性率３０ｔｏｎｆ／ｍｍ２）がシャフト軸線方向Ｓに対してなす配向角を０°とし、ヘッド側（ＴＩＰ側）に配置されて、ヘッド側先端部を補強している。
なお、以上のように引張弾性率が３０ｔｏｎｆ／ｍｍ２以上、８０ｔｏｎｆ／ｍｍ２以下のカーボン繊維を強化繊維としたプリプレグを塗装前のシャフト全重量に対して５０重量％以上の割合となるようにするのがシャフト軽量化の観点から好ましい。
【００４８】
グリップのうちグリップ本体は、グリップ筒状部とグリップエンド部とを一体成形して作製した。グリップ本体は、ＳＢＲ１００重量部に対して硫黄１．５重量部、カーボンブラック４０重量部で配合された練りゴムを１５０℃、３０分でプレス成形した。また振動吸収部材は、面状部と棒状部とを含む全体を一体的に成形した。
【００４９】
〔実施例１〕
実施例１は、上記ヘッド及びシャフトに、図３で示す第２実施形態と同様の構成を有するグリップを装着した。振動吸収部材を構成する粘弾性材の材質としては、基材ゴムとしてのＳＢＲ１００重量部に対して硫黄１．５重量部が配合されたものを用いた。この粘弾性材の複素弾性率は５．０７×１０７ｄｙｎ／ｃｍ２であった。また、棒状部（突起部）は、長さ５０ｍｍ、直径（外径）１ｍｍの円柱状とした。
〔実施例２〕
棒状部（突起部）の外径を３ｍｍとし、長さを３０ｍｍとした以外は実施例１と同様にして実施例２のゴルフクラブを作製した。
〔実施例３〕
振動吸収部材を構成する粘弾性材として、基材ゴムとしてのＳＢＲ１００重量部に対して、硫黄を１．５重量部、タングステン粉末（東京タングステン社製ＳＧ５０）９０重量部配合したものを採用した以外は実施例２と同様にして実施例３のゴルフクラブを得た。なお、この粘弾性材の複素弾性率は８．８０×１０７ｄｙｎ／ｃｍ２であった。
〔実施例４〕
振動吸収部材を構成する粘弾性材として、基材ゴムとしてのＳＢＲを１００重量部に対して、硫黄を１．５重量部、タングステン粉末（東京タングステン社製ＳＧ５０）３５０重量部配合したものを採用した以外は実施例２と同様にして実施例４のゴルフクラブを得た。なお、この粘弾性材の複素弾性率は１．７２×１０８ｄｙｎ／ｃｍ２であった。
〔実施例５〕
振動吸収部材を構成する粘弾性材として、基材ゴムとしてのＳＢＲを１００重量部に対して、硫黄を１．５重量部、タングステン粉末（東京タングステン社製ＳＧ５０）７００重量部配合したものを採用した以外は実施例２と同様にして実施例５のゴルフクラブを得た。なお、この粘弾性材の複素弾性率は４．７２×１０８ｄｙｎ／ｃｍ２であった。
〔実施例６〕
振動吸収部材を構成する粘弾性材として、基材ゴムとしてのＳＢＲを１００重量部に対して、硫黄を１．５重量部、タングステン粉末（東京タングステン社製ＳＧ５０）１２００重量部配合したものを採用した以外は実施例２と同様にして実施例６のゴルフクラブを得た。なお、この粘弾性材の複素弾性率は７．９０×１０９ｄｙｎ／ｃｍ２であった。
〔実施例７〕
棒状部（突起部）を外径５ｍｍ、長さ７ｍｍとし、且つ、振動吸収部材を構成する粘弾性材として、基材ゴムとしてのＳＢＲ１００重量部に対して、硫黄を１．５重量部、タングステン粉末（東京タングステン社製ＳＧ５０）１８００重量部配合した以外は実施例１と同様にして実施例７のゴルフクラブを得た。なお、この粘弾性材の複素弾性率は１．２４×１０１０ｄｙｎ／ｃｍ２であった。
〔比較例１〕
振動吸収部材を有さないこと以外は実施例１と同様にして比較例１のゴルフクラブを得た。
【００５０】
各例の仕様及び評価結果をまとめたのが次の表１である。
【表１】
2006325711.tif 000003
【００５１】
なお表中の「棒状部とシャフト内周面との隙間距離」とは、前述した径方向距離Ｔ（図３参照）を意味する。また「グリップエンド部の厚さ」とは、グリップエンド部の軸方向の厚さを意味する。また、「クラブバランス」とは、クラブＢＵＴＴ側端（グリップエンド）からクラブ重心点までの軸方向距離を意味する。
また、「スイング方向慣性モーメント」とは、グリップ端を通る回転軸でスイング方向にクラブを回転させた場合のクラブの慣性モーメントを意味する。スイング方向慣性モーメントを測定する際の上記回転軸は、グリップ端を通り且つシャフト軸と垂直な軸とする。また、このスイング方向慣性モーメントは、上記回転軸周りのクラブの回転に伴うヘッドの移動方向（周方向）と、フェース面の向き（フェース中心におけるフェース面の法線方向）とを一致させて測定する。なお、表中のスイング方向慣性モーメントの数値の単位は、〔×１０３ｇ・ｃｍ２〕である。
【００５２】
〔評価方法〕
評価方法としては、各実施例及び比較例のゴルフクラブについて、シャフトの振動減衰率の測定、及び実打評価を行った。振動減衰率の測定は、以下のようにして行った。すなわち、図８に示すようにゴルフクラブ１のシャフト２のグリップ端を紐６０で吊下げ、グリップ端からの距離Ｕが３７０ｍｍの位置に加速度ピックアップ計６１を取り付け、この加速度ピックアップ計６１を取り付けた反対側の部分を、フォースピックアップ計６３が取り付けられたインパクトハンマー６２で加振した。そして、フォースピックアップ計６３で得られる入力振動と、加速度ピックアップ計６１で得られる応答振動とをＦＦＴアナライザー６４により解析することで振動減衰率を算出した。なお、この振動減衰率は、その値が大きいほど振動抑制効果が高いことを示す。
【００５３】
実打評価は、クラブの振り易さと振動吸収性について評価した。その評価方法としては、中上級者のゴルファー（ゴルフ歴１０年以上、現在も月１回以上プレーする条件を満たす男性）２６名に実際にボールを試打させ、クラブの振り易さ及び振動吸収性について、それぞれ５点満点（多い程良好）で１点〜５点の５段階で採点させ、その採点結果の平均値を各実施例及び比較例で比較することで評価した。
【００５４】
〔複素弾性率の測定方法〕
また、複素弾性率については、所定の条件で試験片を成形し、粘弾性測定装置（島津製作所社製  粘弾性スペクトロメータＤＶＡ２００改良型）を用いて測定した。測定条件としては、試験片の寸法を、幅４．０ｍｍ、厚み１．６６ｍｍ、長さを３０．０ｍｍとした。また変位部分の長さ寸法２０．０ｍｍとし、周波数１０Ｈｚ、昇温速度２℃／ｍｉｎ、初期ひずみ２ｍｍ、変位振幅幅±１２．５μｍとして、引張り方向の変位を加えることで振動させて測定し、１０℃における値を採用した。
【００５５】
表１に示すように、全ての実施例における振動減衰率の値及び実打評価の振動吸収性の値は、比較例に対して大きくなっていることが判る。また、実施例１では、他の実施例と比較して突起部が長く且つ細いため棒状部１２の振動数とクラブ振動数との不一致が他の実施例よりも顕著となり、振動減衰率が比較的低くなっている。実施例３〜７では、振動吸収性を更に高めるため、タングステン粉末を仕様して棒状部（突起部）の比重を高めるとともに複素弾性率を調整した。その結果、実施例３〜６では特に振動吸収性が良好となっており、且つ、クラブ総重量の増加にもかかわらず振りやすさは比較例１と同等となっている。ただし、実施例７では、比重を大きくしすぎたため棒状部１２の振動数とクラブ振動数との不一致が大きくなり振動吸収性が比較的低下しており、またクラブ総重量及びスイング方向慣性モーメントの増加により振り易さが他の実施例よりも劣っている。なお、実施例７の振り易さの評価は、テスターのうちヘッドスピードの速い上級者層には比較的評価が良好であったが、飛びを必要とするヘッドスピードの遅いシニア層には重すぎて評価が低く、全体の平均値としては表にしめすように比較的低い評価であった。
以上の結果から、本発明では、大きく重量を増加させることなく、シャフトの振動を効果的に抑制し、打球時のフィーリングが良好なゴルフクラブが得られることを確認できた。
【図面の簡単な説明】
【００５６】
【図１】本発明の第１実施形態であるゴルフクラブ用グリップを装着したゴルフクラブを示す外観図である。
【図２】（ａ）は図１の破線円内部分における断面図であり、（ｂ）はグリップエンド側からみたグリップ外観図である。
【図３】第２実施形態に係るゴルフクラブ用グリップの断面図である。
【図４】第３実施形態に係るゴルフクラブ用グリップの断面図である。
【図５】第４実施形態に係るゴルフクラブ用グリップの断面図である。
【図６】第５実施形態に係るゴルフクラブ用グリップの断面図である。
【図７】実施例及び比較例のシャフトのプリプレグ展開図である。
【図８】振動減衰率の測定方法について説明するための図である。
【符号の説明】
【００５７】
１    ゴルフクラブ
２    シャフト
２ａ  シャフトの内周面
３    ゴルフクラブ用グリップ
４    ゴルフクラブヘッド
５    グリップ本体
６    振動吸収部材
７    グリップ筒状部
８    貫通孔
９    グリップエンド部
１１  面状部（基体部）
１２  棒状部（突起部）
【図１】
2006325711.tif 000004
【図２】
2006325711.tif 000005
【図３】
2006325711.tif 000006
【図４】
2006325711.tif 000007
【図５】
2006325711.tif 000008
【図６】
2006325711.tif 000009
【図７】
2006325711.tif 000010
【図８】
2006325711.tif 000011